(57)【要約】【課題】複数の網状体の端部を支柱を介して連結する作業をワンタッチで容易に行えるようにするとともに、結束が外れて網状体が分離しないようにする。【解決手段】縦線材２０と横線材２１が交叉する網状体２と、網状体２を横並びに連ねる位置に縦設される支柱３と、２個の連ねる各網状体２，２をそれぞれの内端部２Ｌ，２Ｒが支柱３を挟んで前後に重ねられた状態で連結する網状体連結具４，４とから成る。網状体連結具４は、対向する一対の垂直板部４１，４２を有し、各垂直板部４１，４２間には、各網状体２，２の重ねられた内端部の前後の縦線材２０Ｌ，２０Ｒと支柱３とが挿入可能な溝幅の線材挿入溝５が形成されている。各垂直板部４１，４２の下端縁の同じ位置には、線材挿入溝５に挿入された前後の各縦線材２０Ｌ，２０Ｒと交叉する横線材２１，２１を挿通させることが可能な溝幅の２個の切欠溝４３，４４が設けられる。【選択図】図３
2011000078.tif 000002
【特許請求の範囲】
【請求項１】
複数本の線材が縦横に交叉するとともに交叉部分が固着された網状体と、網状体を横並びに連ねる位置に縦設される支柱と、２個の連ねる網状体をそれぞれの端部が支柱を挟んで前後に重ねられた状態で連結する網状体連結具とから成り、前記網状体連結具は、一体形成された対向する一対の垂直板部を有し、各垂直板部間には、各網状体の重ねられた端部の前後の縦方向の線材とその線材により挟まれる支柱とが挿入可能な溝幅の線材挿入溝が形成されており、各垂直板部の下端縁の同じ位置には、前記線材挿入溝に挿入された前後の縦方向の各線材と交叉する横方向の各線材を挿通させることが可能な溝幅の２個の切欠溝がそれぞれ並設されて成るフェンス組立体。
【請求項２】
前記網状体は、縦方向の線材が対象とする害獣の通り抜けが不可能な間隔で配列され、横方向の線材が上端側と下端側とにそれぞれ少なくも２本ずつ配設されており、上端側の最下位の横方向の線材は、下端側の最上位の横方向の線材に対して、対象とする害獣の足が届かない高さに配設されている請求項１に記載されたフェンス組立体。
【請求項３】
複数本の線材が縦横に交叉するとともに交叉部分が固着された２個の連ねる網状体を、それぞれの端部が支柱を挟んで前後に重ねられた状態で連結するための網状体連結具であって、一体形成された対向する一対の垂直板部を有し、各垂直板部間には、各網状体の重ねられた端部の前後の縦方向の線材とその線材により挟まれる支柱とが挿入可能な溝幅を有する線材挿入溝が形成されており、各垂直板部の下端縁の同じ位置には、前記線材挿入溝に挿入された前後の縦方向の各線材と交叉する横方向の各線材を挿通させることが可能な溝幅の２個の切欠溝がそれぞれ並設されて成るフェンス組立用網状体連結具。
【請求項４】
前記垂直板部は、金属板材を直角に曲げかつ折り返すことにより形成されている請求項３に記載されたフェンス組立用網状体連結具。
【発明の詳細な説明】
【技術分野】
【０００１】
この発明は、複数本の線状ないしは棒状の材料（以下「線材」という。）が縦横に交叉する網状体を横並びに連ねて構築するフェンス組立体と、２個の連ねる網状体を支柱を挟んで連結するためのフェンス組立用網状体連結具とに関するもので、特にこの発明は、田畑などの所定の区域内にイノシシなどの害獣が侵入するのを防止するのに好適なフェンス組立体と、フェンス組立体の組立に用いられるフェンス組立用網状体連結具とに関する。
【背景技術】
【０００２】
山間部の農家では、イノシシなどの野生動物が出没し、農作物が食い荒らされるという被害が多発している。この種の被害をなくすため、農家では、田畑などの所定の区域内へ害獣が侵入しないようにするための獣害防護フェンスを構築することが行われている。
この種のフェンスを構築する部材として、風通しが良好であり、透光性を有する網状体が好適であり、例えば、複数本の鉄線をほぼ同一面内で縦横に交叉させるとともに、各交叉部分を溶接により固着して一体化した構造の網状体が提案されている（例えば特許文献１参照）。
【先行技術文献】
【特許文献】
【０００３】
【特許文献１】実用新案登録第３０７２１５３号公報
【０００４】
上記した網状体を用いてフェンスを構築するには、網状体を横並びに連ねる位置に支柱を縦設し、２個の連ねる各網状体の端部をワイヤーや紐などの結束具を用いて支柱と一体にくくり付ける。
【発明の概要】
【発明が解決しようとする課題】
【０００５】
しかし、上記したフェンスの組立構造では、各網状体の端部を支柱に結束する作業に手数がかかり、フェンスの組立に多くの労力と時間とを必要とする。また、フェンスが長期にわたって風雨に晒されると、結束具が緩んだり切断したりして網状体の連結部分が分離し、害獣の侵入を阻止できなくなるおそれがある。このため、フェンスの保守、管理をこまめに行う必要があり、その作業負担が大きなものとなっている。
【０００６】
この発明は、上記した問題に着目してなされたもので、各網状体の端部を支柱と一体に連結する作業をワンタッチで行うことができ、しかも、従来例のように、結束具が緩んだり切断したりして網状体の連結部分が分離するなどのおそれがないフェンス組立体およびそのフェンス組立体の組立に用いられるフェンス組立用網状体連結具を提供することを目的とする。
【課題を解決するための手段】
【０００７】
この発明によるフェンス組立体は、複数本の線材が縦横に交叉するとともに交叉部分が固着された網状体と、網状体を横並びに連ねる位置に縦設される支柱と、２個の連ねる網状体をそれぞれの端部が支柱を挟んで前後に重ねられた状態で連結する網状体連結具とから成るものである。前記網状体連結具は、一体形成された対向する一対の垂直板部を有し、各垂直板部間には、各網状体の重ねられた端部の前後の縦方向の線材とその線材により挟まれる支柱とが挿入可能な溝幅の線材挿入溝が形成されている。各垂直板部の下端縁の同じ位置には、前記線材挿入溝に挿入された前後の縦方向の各線材と交叉する横方向の各線材を挿通させることが可能な溝幅の２個の切欠溝がそれぞれ並設されている。
【０００８】
この発明によるフェンス組立体は、複数の網状体を横並びに順次連ねて構成されるが、その組立には、まず、網状体を横並びに連ねる位置に支柱を縦設する。次に、２個の連ねる各網状体をそれぞれの端部が支柱を挟んで前後に重ねられた状態に位置決めした後、網状体連結具によって各網状体の端部を支柱と一体に連結する。
網状体連結具による連結作業では、線材挿入溝に各網状体の重ねられた端部の前後の縦方向の線材とその線材により挟まれる支柱とを挿入するように網状連結具を嵌め込んだ後、網状連結具を下方へ変位させて、線材挿入溝に挿入された前後の縦方向の各線材と交叉する横方向の各線材を各垂直板部にそれぞれ設けられた２個の切欠溝へ挿入する。これにより横並びに連ねる２個の網状体はそれぞれの端部が支柱を挟んで前後に重ねられた状態で網状体連結具により一体に連結される。
【０００９】
この発明の上記した構成において、網状体を構成する縦横の線材には例えば鉄線が用いられ、また支柱は棒状の鋼材などを用いて構成される。縦方向の線材と横方向の線材とは同一径のものを用いてもよく、異なる径のものを用いてもよい。
【００１０】
この発明の好ましい実施態様においては、前記網状体は、縦方向の線材が対象とする害獣の通り抜けが不可能な間隔で配列され、横方向の線材が上端側と下端側とにそれぞれ少なくも２本ずつ配設されており、上端側の最下位の横方向の線材は、下端側の最上位の横方向の線材に対して、対象とする害獣の足が届かない高さに配設されている。
【００１１】
この実施例によると、縦方向の線材が対象とする害獣（例えばイノシシ）の通り抜けが不可能な間隔で配列されているので、害獣は網状体の間隙を通り抜けることができない。また、横方向の線材は、上端側と下端側とにそれぞれ少なくも２本ずつ配されるとともに、上端側の最下位の横方向の線材は、下端側の最上位の横方向の線材に対して、対象とする害獣の足が届かない高さに配設されているので、害獣が下端側の最上位の横方向の線材上に乗り上がっても、その位置から上端側の最下位の横方向の線材に足が届かず、網状体を乗り越えることができない。しかも、横方向の線材が上端側と下端側とにそれぞれ少なくも２本ずつ配されているので、全ての縦方向の線材が上端部および下端部において強固に連結されて、網状体の全体の強度が高められ、網状体の変形などを防止でき、害獣により網状体が突き破られるおそれもない。
【００１２】
この発明を別の観点から規定すると、この発明は、上記のフェンス組立体を組み立てるための網状体連結体に係るものである。すなわち、この発明によるフェンス組立用網状体連結具は、複数本の線材が縦横に交叉するとともに交叉部分が固着された２個の連ねる網状体を、それぞれの端部が支柱を挟んで前後に重ねられた状態で連結するためのものであり、一体形成された対向する一対の垂直板部を有し、各垂直板部間には、各網状体の重ねられた端部の前後の縦方向の線材とその線材により挟まれる支柱とが挿入可能な溝幅を有する線材挿入溝が形成されている。各垂直板部の下端縁の同じ位置には、前記線材挿入溝に挿入された前後の縦方向の各線材と交叉する横方向の各線材を挿通させることが可能な溝幅の２個の切欠溝がそれぞれ並設されている。
【００１３】
この発明の好ましい実施態様においては、前記垂直板部は、金属板材を直角に曲げかつ折り返すことにより形成されるもので、金属板材として、例えば亜鉛メッキが施された鋼板が用いられる。なお、網状体連結具は、必ずしも金属板材を用いて構成する必要はなく、十分な強度と耐久性を備えていれば合成樹脂製であってもよい。
【発明の効果】
【００１４】
この発明によると、網状体連結具を用いて各網状体の端部を支柱と一体に連結する作業がワンタッチで行えるので、各網状体の連結作業に手数がかからず、フェンスを効率良く組み立てることができ、作業者の労力と時間とを軽減できる。
しかも、従来例のように、結束具が緩んだり切断したりして網状体の連結部分が分離するなどのおそれがなく、害獣の侵入を確実に阻止でき、フェンスの保守、管理をこまめに行う必要もない。
【図面の簡単な説明】
【００１５】
【図１】この発明の一実施例であるフェンス組立体の概略構成を示す正面図である。
【図２】網状体の構成を示す正面図である。
【図３】網状体連結具による網状体と支柱との連結状態を示す斜視図である。
【図４】網状体連結具による網状体と支柱との連結状態を示す水平断面図である。
【図５】網状体連結具による網状体と支柱との連結状態を示す垂直断面図である。
【図６】網状体連結具の外観を示す斜視図である。
【図７】網状体連結具の外観を示す側面図である。
【発明を実施するための形態】
【００１６】
図１は、この発明の一実施例であるフェンス組立体の概略構成を示している。なお、図示例のものは、獣害防護フェンスに用いるものであるが、この発明のフェンス組立体は、獣害防護フェンス以外のフェンスにも適用することができる。
図示例のフェンス組立体１は、地上に縦設されるもので、横並びに順次連ねられる複数の網状体２，２と、網状体２が連ねられる位置毎に地上に縦設される支柱３と、隣り合う網状体２，２を支柱３に一体連結するための網状体連結具４，４とで構成されている。
隣り合う網状体２，２は、図３に示すように、連結されるそれぞれの内端部２Ｌ，２Ｒが前後にわずかに位置ずれさせて重ねられている。網状体連結具４は上下の各位置に少なくとも１個ずつ配設されるもので、支柱３を挟んで前後に重ねられた状態で網状体２，２を連結する。
【００１７】
各網状体２は、図２に示すように、複数本の線材２０，２１がほぼ同一面内で縦横に交叉しており、全ての交叉部分が溶接により一体に固着されている。以下、縦方向の線材２０を「縦線材２０」、横方向の線材２１を「横線材２１」という。なお、連結する網状体２，２は、図３および図４に示すように、前後にわずかに位置ずれさせて連結されるが、各網状体２の縦線材２０は横線材２１と相手の網状体２に対して反対側で交叉している。
図示例の網状体２では、縦線材２０および横線材２１として円形断面の直径ｒが５ｍｍの鉄線が用いられている。また、この実施例では、縦線材２０の長さは１ｍ、横線材２１の長さは２ｍであるが、鉄線の径や長さはこれに限られるものではない。
縦線材２０は、害獣の通り抜けが不可能な間隔で設けられる。この実施例では、害獣としてイノシシを想定しており、瓜坊（イノシシの子）が通り抜けることができないように、縦線材２０の配列間隔ｔを７５ｍｍに設定してある。
【００１８】
横線材２１は、高さ中央部の領域Ｓを空けて上端側と下端側とに配設される。この実施例では上端側の本数を２本に、下端側の本数を３本に、それぞれ設定してある。上端側と下端側とにそれぞれ少なくとも２本ずつ配設することにより、全ての縦線材２０が上端部および下端部において強固に連結されるので、網状体２の全体の強度が高められ、変形などが防止される。
【００１９】
上端側の２本の横線材２１は、縦線材２０の上端と上位の側の横線材２１ａとの距離ｄ１が５０ｍｍに、上位の側の横線材２１ａと下位の側の横線材２１ｂとの距離（間隔）ｄ２は７５ｍｍに、それぞれ設定されている。
下端側の３本の横線材２１は、縦線材２０の下端と最下位の横線材２１ｅとの距離ｄ５が６５ｍｍに、最下位の横線材２１ｅと中間位置の横線材２１ｄとの距離ｄ４が１５０ｍｍに、中間位置の横線材２１ｄと最上位の横線材２１ｃとの距離ｄ３が７５ｍｍに、それぞれ設定されている。
【００２０】
各網状体２は、図１に示すように、最下位の横線材２１ｅが地表Ｆ近くの地中に位置するように縦設される。最下位の横線材２１ｅが地表Ｆ近くの地中に位置することでイノシシが土を掘り返すことの障害となり、網状体２の下側をくぐり抜けるのを防止できる。最下位の横線材２１ｅとその上の横線材２１ｄとの距離ｄ４は、最下位の横線材２１ｅを地中に埋めることを想定して、その中間位置の横線材２１ｄとその上の横線材２１ｃとの距離ｄ３より大きく設定してある。
【００２１】
下端側の最上位の横線材２１ｃに対する上端側の下位の側の横線材２１ｂの高さｈは、イノシシが横線材２１ｃ上に後足で乗り上がっても、横線材２１ｂに後足が届かないような高さ、この実施例では６６０ｍｍに設定されている。このように、下端側の最上位の横線材２１ｃと上端側の下位の側の横線材２１ｂとの間の高さ中央部の領域Ｓには足掛かりとなる横線材が存在しないので、イノシシが網状体２を乗り越えることは不可能である。
【００２２】
支柱３は、下端が地中深くに打ち込まれて地上に縦設されるもので、地中への打込みが可能かつ容易なように下端を尖らせるのが望ましい。支柱３は網状体２より深く打ち込まれるので、縦設時には網状体２と高さがほぼ揃うように網状体２の高さより大きな長さに設定されている。この実施例の支柱３は直径Ｒが１０〜１３ｍｍの鋼棒が用いられ、地中から抜けにくくするために外周面に螺旋条（図示せず。）を形成するとよい。
【００２３】
網状体連結具４は、図３、図４、図６に示すように、長方矩形状の金属板材を長さ中央部で直角に曲げかつ折り返すことにより形成され、対向する一対の垂直板部４１，４２と曲げ板部４０とを一体に有している。なお、この実施例では、前記金属板材として亜鉛メッキされた鋼板を用いているが、これに限られるものではない。各垂直板部４１，４２と曲げ板部４０とで囲まれる空間は、支柱３と２本の縦線材２０，２０とが挿入可能な線材挿入溝５を構成している。線材挿入溝５は上下各方向と、前後方向の一方、すなわち、曲げ板部４０の反対側とが解放されている。
【００２４】
線材挿入溝５は、連結される一方の網状体２（図３では手前側の網状体２）の内端部２Ｌの縦線材２０Ｌと、他方の網状体２（図３では奥側の網状体２）の内端部２Ｒの縦線材２０Ｒと、両縦線材２０Ｌ，２０Ｒにより挟まれる支柱３とを挿入することが可能な溝幅ｗ、すなわち、ｗ＞Ｒに設定されている。
【００２５】
また、この線材挿入溝５は、その内部に手前側の網状体２の縦線材２０Ｌと横線材２１との交叉部分と、奥側の網状体２の縦線材２０Ｒと横線材２１との交叉部分とを位置させるので、支柱３と２本の縦線材２０Ｌ，２０Ｒと２本の横線材２１，２１とが収まる溝深さｙ、すなわち、ｙ＞Ｒ＋２ｒに設定されるとともに、各網状体２の横線材２１が線材挿入溝５を横切って各垂直板部４１，４２を貫通するように、各垂直板部４１，４２の下端縁の同じ位置に、図５〜図７に示すように、線材挿入溝５内に上下に通る前後の縦線材２０Ｌ，２０Ｒと交叉する各横線材２１，２１を挿通させることが可能な溝幅ｕの２個の切欠溝４３，４４が、支柱３の直径Ｒとほぼ同じの間隔ｚをあけて、それぞれ開設されている。
【００２６】
この実施例では、各切欠溝４３，４４の溝幅ｕは横線材２１の直径ｒよりわずかに大きな値に設定し、溝深さｖは横線材２１が容易に抜け出ないように横線材２１の直径ｒより十分に大きな値、例えば、ｖ＝３ｒに設定している。また、各切欠溝４３，４４は開口縁４３ａ，４４ａを広げることにより横線材２１が入り易くする一方で、一方の溝側縁に突起４５，４６を形成して、切欠溝４３，４４の底まで入り込んだ横線材２１が突起４５，４６に引っ掛かって抜けにくくしている。
【００２７】
上記した構成のフェンス組立体１は、複数の網状体２を横並びに順次連ねて構成されるが、その組立には、まず、網状体２を横並びに連ねる位置に対応して支柱３を地中に打ち込んで縦設する。次に、横並びに連ねる２個の網状体２，２をそれぞれの内端部２Ｌ，２Ｒが支柱３を挟んで前後に重ねられた状態に位置決めした後、網状体連結具４によって各網状体２，２の内端部２Ｌ，２Ｒを支柱３と一体に連結する。図示例では、網状体連結具４を上端側では上位側の横線材２１ａの位置に、下端側では最上位の横線材２１ｃの位置に、それぞれ設置しているが、上端側の他の横線材２１ｂの位置と下端側の他の横線材２１ｄの位置にも網状体連結具４を設置してもよい。
【００２８】
網状体連結具４による連結作業は、例えば、上端側では横線材２１ａより上方位置において、線材挿入溝５に各網状体２，２の重ねられた内端部２Ｌ，２Ｒの前後の縦線材２０Ｌ，２０Ｒとその縦線材２０Ｌ，２０Ｒにより挟まれる支柱３とを挿入するように網状体連結具４を嵌め込んだ後、網状体連結具４を下方へ変位させて、線材挿入溝５に挿入された前後の縦線材２０Ｌ，２０Ｒと交叉している横線材２１，２１を各垂直板部４１，４２にそれぞれ設けられた２個の切欠溝４３，４４へ挿入する。これにより横並びに連ねる２個の網状体２，２はそれぞれの内端部２Ｌ，２Ｒが支柱３を挟んで前後に重ねられた状態で網状体連結具４により一体に連結される。
【００２９】
こうしてフェンス組立体１が構築されると、縦方向の線材２０は、対象とする害獣（例えばイノシシ）の通り抜けが不可能な間隔ｔで配列されているので、害獣は網状体２の間隙を通り抜けることができない。また、横線材２１は、上端側と下端側とにそれぞれ少なくも２本ずつ配されるとともに、上端側の最下位の横線材２１ｂは、下端側の最上位の横線材２１ｃに対して、対象とする害獣の足が届かない高さに配設されているので、害獣が下端側の最上位の横線材２１ｃ上に乗り上がっても、その位置から上端側の最下位の横線材２１ｂに足が届かず、足や足の爪を引っ掛けることができないから、網状体２を乗り越えることができない。しかも、横線材２１が上端側と下端側とにそれぞれ少なくも２本ずつ配されているので、全ての縦線材２０が上端部および下端部において強固に連結されて網状体２の全体の強度が高められ、網状体２の変形などを防止でき、害獣により網状体２が突き破られるおそれがない。
【００３０】
なお、上記の実施例は、イノシシを対象とした獣害防護フェンスであって、網状体２として図２に示す構成のものを用いているが、対象とする害獣に応じてこれと異なる形態のものを用いることができる。また、獣害防護用以外の用途では、例えば、縦線材２０および横線材２１をそれぞれ同じ間隔に配置するなど、種々の形態を採用することができる。
【符号の説明】
【００３１】
１    フェンス
２    網状体
３    支柱
４    網状体連結具
５    線材挿入溝
２０  縦方向の線材（縦線材）
２１  横方向の線材（横線材）
４１，４２  垂直板部
４３，４４  切欠溝
【図１】
2011000078.tif 000003
【図２】
2011000078.tif 000004
【図３】
2011000078.tif 000005
【図４】
2011000078.tif 000006
【図５】
2011000078.tif 000007
【図６】
2011000078.tif 000008
【図７】
2011000078.tif 000009